【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
照射する光の光強度に応じて変質する記録材料からなり、当該記録材料が既に変質している変質層と、前記記録材料が未だ変質していない非変質層と、が交互に複数存在する多層化された光情報記録媒体に対して、情報を記録する情報記録装置であって、
可干渉性を有する所定波長の記録光を射出する光源と、
前記光源から射出した記録光の光路を第１の光路と第２の光路とに分岐する光路分岐部と、
前記光路分岐部の後段に配置され、前記第１の光路における前記記録光と前記第２の光路における前記記録光との焦点位置をそれぞれ制御する焦点位置制御部と、
前記焦点位置制御部の後段にそれぞれ配置され、前記第１の光路における記録光および前記第２の光路における記録光を、それぞれ前記光情報記録媒体に集光する対物レンズと、
を備え、
前記第１の光路における記録光は、前記光情報記録媒体の一側の平面から当該光情報記録媒体に垂直入射し、
前記第２の光路における記録光は、前記光情報記録媒体の他側の平面から当該光情報記録媒体に垂直入射し、
前記第１の光路における記録光と、前記第２の光路における記録光との干渉によって生じる定在波に応じたホログラムを、記録マークとして記録する、情報記録装置。
【請求項２】
前記焦点位置制御部は、
前記第１の光路における記録光および前記第２の光路における記録光が同一の焦点位置となるように、前記第１の光路における記録光および第２の光路における記録光をそれぞれ制御する、請求項１に記載の情報記録装置。
【請求項３】
前記第１の光路における記録光および前記第２の光路における記録光の焦点深度は、前記変質層及び／又は前記非変質層の厚みと等しい、請求項１に記載の情報記録装置。
【請求項４】
前記焦点位置制御部は、
前記前記第１の光路における記録光および前記第２の光路における記録光の焦点位置を、前記非変質層が存在する位置となるように制御する、請求項２に記載の情報記録装置。
【請求項５】
前記焦点位置制御部は、
前記第１の光路における記録光および前記第２の光路における記録光の焦点位置を、前記変質層が存在する位置となるように制御する、請求項２に記載の情報記録装置。
【請求項６】
前記焦点位置制御部は、１または複数の光学部材で構成され、
前記１または複数の光学部材の位置を変更することで、前記第１の光路における記録光および前記第２の光路における記録光の焦点位置を制御する、請求項１に記載の情報記録装置。
【請求項７】
前記焦点位置制御部は、リレーレンズまたはコリメータレンズで構成される、請求項６に記載の情報記録装置。
【請求項８】
前記光情報記録媒体は、２本の初期化光線により初期化され、
前記２本の初期化光線の一方は、前記光情報記録媒体の一側の平面から当該光情報記録媒体へと入射し、
前記２本の初期化光線の他方は、前記光情報記録媒体の他側の平面から当該光情報記録媒体へと入射する、請求項１に記載の情報記録装置。
【請求項９】
前記２本の初期化光線の前記光情報記録媒体の平面に対する入射角度の大きさは、等しい、請求項８に記載の情報記録装置。
【請求項１０】
前記変質層および前記非変質層の厚みがΔＤ［ｎｍ］となるように波長λ［ｎｍ］の前記初期化光線を用いて初期化が行われ、
前記２本の初期化光線の入射角度θは、以下の式１から得られる値である、請求項９に記載の情報記録装置。
【数１】
2009008715.tif 000001
【請求項１１】
前記光情報記録媒体は、前記記録材料に対して光感度を有する波長の初期化光線によって初期化されたものである、請求項１に記載の情報記録装置。
【請求項１２】
前記初期化光線は、平行光線である、請求項１１に記載の情報記録装置。
【請求項１３】
前記初期化光線のビーム径は、前記記録材料を全面照射可能である大きさを有する、請求項１１に記載の情報記録装置。
【請求項１４】
照射する光の光強度に応じて変質する記録材料からなり、当該記録材料が既に変質している変質層と、前記記録材料が未だ変質していない非変質層と、が交互に複数存在しており、情報が前記変質層または前記非変質層にホログラムとして記録されている光情報記録媒体から、記録されている前記ホログラムを読み取って再生する、情報再生装置であって、
所定の波長を有する読み出し光を射出する光源と、
前記光源から射出した前記読み出し光の焦点位置を制御する焦点位置制御部と、
前記焦点位置制御部の後段に配置され、前記読み出し光を集光する対物レンズと、
前記ホログラムからの前記読み出し光に応じた戻り光を検出する光検出部と、
を備える、情報再生装置。
【請求項１５】
前記読み出し光の焦点深度は、
前記変質層及び／又は前記非変質層の厚みと等しい、請求項１４に記載の情報再生装置。
【請求項１６】
前記読み出し光の波長は、
前記ホログラムの記録に用いられた記録光の波長と同一である、請求項１４に記載の情報再生装置。
【請求項１７】
前記焦点位置制御部は、前記読み出し光の焦点位置を、前記非変質層が存在する位置となるように制御し、
前記検出部は、前記非変質層における前記ホログラムからの戻り光を検出する、請求項１５に記載の情報再生装置。
【請求項１８】
前記焦点位置制御部は、前記読み出し光の焦点位置を、前記変質層が存在する位置となるように制御し、
前記検出部は、前記変質層における前記ホログラムからの戻り光を検出する、請求項１５に記載の情報再生装置。
【請求項１９】
前記焦点位置制御部は、１または複数の光学部材で構成され、
前記１または複数の光学部材の位置を変更することで、前記読み出し光の焦点位置を制御する、請求項１４に記載の情報再生装置。
【請求項２０】
前記焦点位置制御部は、リレーレンズまたはコリメータレンズで構成される、請求項１９に記載の情報再生装置。
【請求項２１】
前記光情報記録媒体は、２本の初期化光線により初期化され、
前記２本の初期化光線の一方は、前記光情報記録媒体の一側の平面から当該光情報記録媒体へと入射し、
前記２本の初期化光線の他方は、前記光情報記録媒体の他側の平面から当該光情報記録媒体へと入射する、請求項１４に記載の情報再生装置。
【請求項２２】
前記２本の初期化光線の前記光情報記録媒体の平面に対する入射角度の大きさは、等しい、請求項２１に記載の情報再生装置。
【請求項２３】
前記変質層および前記非変質層の厚みがΔＤ［ｎｍ］となるように波長λ［ｎｍ］の前記初期化光線を用いて初期化が行われ、
前記２本の初期化光線の入射角度θは、以下の式１から得られる値である、請求項２２に記載の情報再生装置。
【数２】
2009008715.tif 000002
【請求項２４】
前記光情報記録媒体は、前記記録材料に対して光感度を有する波長の初期化光線によって初期化されたものである、請求項１４に記載の情報再生装置。
【請求項２５】
前記初期化光線は、平行光線である、請求項１４に記載の情報再生装置。
【請求項２６】
前記初期化光線のビーム径は、前記記録材料を全面照射可能である大きさを有する、請求項１４に記載の情報再生装置。
【請求項２７】
照射する光の光強度に応じて変質する記録材料からなり、当該記録材料が既に変質している変質層と、前記記録材料が未だ変質していない非変質層と、が交互に複数存在する多層化された光情報記録媒体に対して、情報をホログラムとして記録する情報記録方法であって、
光源から射出した可干渉性を有する所定波長の記録光の光路を、第１の光路および第２の光路に分岐するステップと、
前記第１の光路における記録光を、前記光情報記録媒体の一側の平面から垂直入射させるとともに、前記第２の光路における記録光を、前記光情報記録媒体の他側の平面から垂直入射させるステップと、
前記第１の光路における記録光と、前記第２の光路における記録光との干渉によって生じるホログラムを、記録マークとして記録するステップと、
を含む、情報記録方法。
【請求項２８】
照射する光の光強度に応じて変質する記録材料からなり、当該記録材料が既に変質している変質層と、前記記録材料が未だ変質していない非変質層と、が交互に複数存在しており、情報が前記変質層または前記非変質層にホログラムとして記録されている光情報記録媒体から、記録されている前記ホログラムを読み取って再生する、情報再生方法であって、
光源から射出した所定の波長を有する読み出し光について、当該読み出し光の焦点位置を制御して、前記光情報記録媒体の所定の層における前記定在波に対して前記読み出し光を照射するステップと、
前記定在波からの前記読み出し光の戻り光を検出するステップと、
検出した前記戻り光に基づいて前記情報の再生信号を生成するステップと、
を含む、情報再生方法。
【請求項２９】
照射する光の光強度に応じて変質する記録材料からなる、多層化された光情報記録媒体であって、
前記記録材料が既に変質している変質層と、
前記記録材料が未だ変質していない非変質層と、
が交互に複数存在し、
情報が、前記変質層または前記非変質層にホログラムとして記録されており、
前記変質層または前記非変質層に記録された前記ホログラムは、当該ホログラムが記録されている前記変質層または前記非変質層に隣接する前記非変質層または前記変質層に、接している、光情報記憶媒体。
【手続補正２】
【補正対象書類名】明細書
【補正対象項目名】０１０５
【補正方法】変更
【補正の内容】
【０１０５】
光路分岐部の一例であるビームスプリッター４０３は、光源４０１から射出された光線の光路を、２つの光路に分岐する。図８に示した例では、光源４０１から射出された光線は、第１の光路を経由する光束Ａと、第２の光路を経由する光束Ｂの２つに分岐される。